(57)【特許請求の範囲】
【請求項１】
（イ）木材を保存処理する薬液が貯留される浸漬槽と、（ロ）前記浸漬槽上に水平に設けられた前記木材を保持する木材保持容器と、（ハ）前記木材保持容器を垂直方向に回転させる回転装置と、（ニ）前記木材保持容器に保持された木材に前記薬液を部分的に浸漬させるために、前記浸漬槽の内側から該浸漬槽の高さよりも上へ向かって立てるように設けられた、前記回転装置と共に前記木材保持容器を昇降させる昇降装置と、を有することを特徴とする木材処理装置。
【請求項２】
前記浸漬槽における薬液の高さを自動的に調整する薬液高さ自動調整装置が、設けられていることを特徴とする請求項１に記載の木材処理装置。
【請求項３】
前記薬液高さ自動調整装置が、前記薬液の液面高さを検知する液面レベルセンサーと、前記液面レベルセンサーで検知した前記薬液の液面高さをフィードバックして予め設定された薬液の液面高さになるように薬液タンクから前記浸漬槽への前記薬液の流入流出を薬液ポンプを用いて制御する薬液の流入流出制御装置と、を有していることを特徴とする請求項２に記載の木材処理装置。
【請求項４】
（ａ）木材保存処理用の薬液を浸漬槽に貯留させる工程、
（ｂ）前記浸漬槽上に水平に設置された木材保持容器に木材を入れて保持する工程、
（ｃ）前記木材を入れた木材保持容器を回転装置で垂直方向に回転させて該木材を立てた状態で保持する工程、
（ｄ）前記浸漬槽の内側から該浸漬槽の高さよりも上へ向かって立てるように設けられた、昇降装置を用いて、前記立てた状態で保持した木材を降下させることにより、前記木材を前記薬液に一部分だけ浸漬させる工程、
（ｅ）前記木材を前記木材保持容器に入れたまま斜め方向に反転させて前記薬液の液面から離間させた状態にすることにより該薬液を垂れ切る工程、及び、
（ｆ）前記薬液を垂れきった木材を前記木材保持容器に入れたまま当初の水平に設置された状態に戻して該木材を取り出す工程、
を順次有することを特徴とする木材処理方法。
【発明の詳細な説明】
【技術分野】
【０００１】
本発明は、木材を薬液で部分的に処理する木材処理装置及び木材処理方法に関し、さらに詳しくは、製材、集成材、合板、単板積層材、木質パネル、木質繊維版等の木材をオオウズラタケ、カワラタケ等の微生物やシロアリ等の害虫から保護する木材保存用の薬液で木材を部分的に処理する木材処理装置及び処理方法に関する。
【背景技術】
【０００２】
従来、木材を木材保存用の薬液で保存処理するのに、大きく分けて、２つの方法が実施されている。即ち、木材を圧力容器に入れてその圧力容器内の圧力をを低くする工程と前記圧力容器に木材保存用の薬液を高圧で押し込む工程とを組み合わせて、該木材の細胞組織中に該薬液をしみ込ませる方法［いわゆる、加圧注入処理方法］（特許文献１を参照。）と、木材保存用の薬液を木材に塗りつけたり木材保存用の薬液に木材を浸漬したりす方法［いわゆる、表面処理方法］（特許文献２を参照。）と、がある。これらの２つの方法をそれぞれ実施するためには、専用の木材保存用の薬液が用意される。
【０００３】
前記２つの方法を工場で実施する場合には、木材全体を束ねて、一度に処理することが技術的にも経済的にも妥当な方法とされている。従来においては、このような木材の必要な部分のみに木材保存用の薬液で処理するには、該木材の一本ずつに手作業で該木材保存用の薬液を塗布したりや噴き付けたりする作業が行われており、それらの多くの場合には、作業者が住宅の建築現場に出向き、噴霧器などを用いて、木材の必要な部分のみに該木材保存用の薬液で処理している。
【先行技術文献】
【特許文献】
【０００４】
【特許文献１】特開平２０１０−１１１１０１号公報
【特許文献２】特開平２００８−３０３１５７号公報
【発明の概要】
【発明が解決しようとする課題】
【０００５】
しかしながら、前記作業者が住宅の建築現場に出向いて木材の必要な部分のみに該木材保存用の薬液で処理する方法においては、該木材保存用の薬液が飛散したり、また、該木材保存用の薬液の使い残しによる余剰液が発生するので、該木材保存用の薬液で環境を汚染したり、また、該木材保存用の薬液による木材の処理コストを増大させるという問題があった。
【０００６】
このような問題を解決するために、近年、大規模の住宅メーカーを中心にして、工場において木材を木材保存用の薬液で効率的に処理する方法が広まりつつあるが、現在の工法では、柱等の住宅で立てて用いる木材の処理は地面から１ｍ前後までの範囲で行うことが一般的となっているので、木材の一部分のみ処理すればよいことになっている。したがって、従来の技術によって、工場でにおいて木材を木材保存用の薬液で効率的に処理しようとすると、木材の処理が不要な部分まで処理を行うことになるという問題があった。また、木材の必要な部分のみを処理することを優先すると、噴霧器等を使用した手作業で木材に処理を行うことになり、そのために、生産効率の面で工場処理のメリットが減るという問題があった。
【０００７】
本発明は、かかる問題を解決することを目的としている。
【０００８】
即ち、本発明は、木材保存用の薬液に浸漬させる木材の深さを調整して該木材を木材保存用の薬液で効率よく部分的に処理する共に、前記木材への前記薬液の処理範囲の均一化を図ることができる木材処理装置及び木材処理方法を低コストで提供することを目的としている。
【課題を解決するための手段】
【０００９】
即ち、請求項１に記載された発明は、上記目的を達成するために、（イ）木材を保存処理する薬液が貯留される浸漬槽と、（ロ）前記浸漬槽上に水平に設けられた前記木材を保持する木材保持容器と、（ハ）前記木材保持容器を垂直方向に回転させる回転装置と、（ニ）前記木材保持容器に保持された木材に前記薬液を部分的に浸漬させるために、前記浸漬槽の内側から該浸漬槽の高さよりも上へ向かって立てるように設けられた前記回転装置と共に前記木材保持容器を昇降させる昇降装置と、を有することを特徴とする木材処理装置である。
【００１０】
請求項２に記載された発明は、請求項１に記載された発明において、前記浸漬槽における薬液の高さを自動的に調整する薬液高さ自動調整装置が、設けられていることを特徴とするものである。
【００１１】
請求項３に記載された発明は、請求項２に記載された発明において、前記薬液高さ自動調整装置が、前記薬液の液面高さを検知する液面レベルセンサーと、前記液面レベルセンサーで検知した前記薬液の液面高さをフィードバックして予め設定された薬液の液面高さになるように薬液タンクから前記浸漬槽への前記薬液の流入流出を薬液ポンプを用いて制御する薬液の流入流出制御装置と、を有していることを特徴とするものである。
【００１２】
請求項４に記載された発明は、
（ａ）木材保存処理用の薬液を浸漬槽に貯留させる工程、
（ｂ）前記浸漬槽上に水平に設置された木材保持容器に木材を入れて保持する工程、
（ｃ）前記木材を入れた木材保持容器を回転装置で垂直方向に回転させて該木材を立てた状態で保持する工程、
（ｄ）前記浸漬槽の内側から該浸漬槽の高さよりも上へ向かって立てるように設けられた、昇降装置を用いて、前記立てた状態で保持した木材を降下させることにより、前記木材を前記薬液に一部分だけ浸漬させる工程、
（ｅ）前記木材を前記木材保持容器に入れたまま斜め方向に反転させて前記薬液の液面から離間させた状態にすることにより該薬液を垂れ切る工程、及び、
（ｆ）前記薬液を垂れきった木材を前記木材保持容器に入れたまま当初の水平に設置された状態に戻して該木材を取り出す工程、
を順次有することを特徴とする木材処理方法である。
【発明の効果】
【００１３】
請求項１に記載された発明によれば、（イ）木材を保存処理する薬液が貯留される浸漬槽と、（ロ）前記浸漬槽上に水平に設けられた前記木材を保持する木材保持容器と、（ハ）前記木材保持容器を垂直方向に回転させる回転装置と、（ニ）前記木材保持容器に保持された木材に前記薬液を部分的に浸漬させるために、前記浸漬槽の内側から該浸漬槽の高さよりも上へ向かって立てるように設けられた、前記回転装置と共に前記木材保持容器を昇降させる昇降装置と、を有しているので、木材保存用の薬液に浸漬させる木材の深さを調整して該木材を木材保存用の薬液で短時間において効率よく部分的に処理する共に、前記木材への前記薬液の処理範囲の均一化を図る木材処理装置及び木材処理方法を低コストで提供することができる。
【００１４】
請求項２，３に記載された発明によれば、前記浸漬槽における薬液の高さを自動的に調整する薬液高さ自動調整装置が、設けられているので、木材の処理範囲を実施回数や処理材積に関わらず一定に保つことができる。
【００１５】
請求項４に記載された発明によれば、
（ａ）木材保存処理用の薬液を浸漬槽に貯留させる工程、
（ｂ）前記浸漬槽上に水平に設置された木材保持容器に木材を入れて保持する工程、
（ｃ）前記木材を入れた木材保持容器を回転装置で垂直方向に回転させて該木材を立てた状態で保持する工程、
（ｄ）前記浸漬槽の内側から該浸漬槽の高さよりも上へ向かって立てるように設けられた、昇降装置を用いて、前記立てた状態で保持した木材を降下させることにより、前記木材を前記薬液に一部分だけ浸漬させる工程、
（ｅ）前記木材を前記木材保持容器に入れたまま斜め方向に反転させて前記薬液の液面から離間させた状態にすることにより該薬液を垂れ切る工程、及び、
（ｆ）前記薬液を垂れきった木材を前記木材保持容器に入れたまま当初の水平に設置された状態に戻して該木材を取り出す工程、
を順次有しているので、木材保存用の薬液に浸漬させる木材の深さを調整して該木材を木材保存用の薬液で短時間において効率よく部分的に処理する共に、前記木材への前記薬液の処理範囲の均一化を図り、しかも、前記処理した木材を浸漬槽の上で留め置いて、垂れ落ちる余剰薬液を周囲に散逸させることなく回収する木材処理方法を低コストで提供することを目的としている。
【発明を実施するための形態】
【００１６】
図１において、３０は、木材処理装置である。本発明の木材処理装置３０は、木材を保存処理する薬液が貯留される浸漬槽１と、前記浸漬槽１上に水平に設けられた前記木材を保持する木材保持容器２と、前記木材保持容器２を垂直方向に回転させる回転装置３と、前記木材保持容器２に保持された木材に前記薬液を部分的に浸漬させるために、前記浸漬槽１の内側から該浸漬槽１の高さよりも上へ向かって立てるように設けられた、前記回転装置３と共に前記木材保持容器２を昇降させる昇降装置４と、を有している。
【００１７】
このように、木材を保存処理する薬液が貯留される浸漬槽１と、前記浸漬槽１上に水平に設けられた前記木材を保持する木材保持容器２と、前記木材保持容器２を垂直方向に回転させる回転装置３と、を有していると、木材保存用の薬液に浸漬させる木材の深さを調整して該木材を木材保存用の薬液で短時間において効率よく部分的に処理する木材処理装置３０を低コストで提供することができる。また、前記木材保持容器２に保持された木材に前記薬液を部分的に浸漬させるために、前記浸漬槽１の内側から該浸漬槽１の高さよりも上へ向かって立てるように設けられた、前記回転装置３と共に前記木材保持容器２を昇降させる昇降装置４を有していると、前記木材保持容器２上下に垂直移動することによって、前記木材の前記木材保存処理用の薬液の液面への挿入及び抜き取り時に該薬液の液面の揺れが小さくなり、そのために、前記木材への前記薬液の処理範囲の均一化を図ることができる。
【００１８】
したがって、木材を保存処理する薬液が貯留された浸漬槽１と、前記浸漬槽１上に水平に設けられた前記木材を保持する木材保持容器２と、前記木材保持容器２を垂直方向に回転させる回転装置３と、前記木材保持容器２に保持された木材に前記薬液を部分的に浸漬させるために、前記浸漬槽１の内側から該浸漬槽１の高さよりも上へ向かって立てるように設けられた、前記回転装置３と共に前記木材保持容器２を昇降させる昇降装置４と、を有していると、木材保存用の薬液に浸漬させる木材の深さを調整して該木材を木材保存用の薬液で短時間において効率よく部分的に処理すると共に、前記木材への前記薬液の処理範囲の均一化を図る木材処理装置３０を低コストで提供することができる。
【００１９】
本願の木材処理装置３０には、前記浸漬槽における薬液の高さを自動的に調整する薬液高さ自動調整装置２０が、設けられている。前記薬液高さ自動調整装置２０には、前記薬液の液面高さを検知する液面レベルセンサー５と、前記液面レベルセンサー５で検知した液面高さをフィードバックして予め設定された液面高さになるように、薬液タンク７から前記浸漬槽１への前記薬液の流入流出を薬液ポンプ８を用いて制御する薬液の流入流出制御装置６と、を有している。前記浸漬槽１の薬液面は、前記薬液の流入流出制御装置６によって調整される。
【００２０】
このように、前記浸漬槽１における薬液の高さを自動的に調整する薬液高さ自動調整装置２０が、設けられていると、木材の処理範囲を実施回数や処理材積に関わらず一定に保つことができる。
【００２１】
次に、前記木材処理装置３０を詳しく説明する。
【００２２】
図１に示されているように、本発明の木材処理装置３０においては、木材保存処理用の薬材が貯留される浸漬槽１の上に水平に位置するように設けられた木材保持容器２に薬液処理する木材を入れる。前記木材保持容器２は、動力によって垂直方向に回転する回転装置３に繋がっており、その回転装置３は、前記浸漬槽１の内側から該浸漬槽１の高さよりも上へ向かって立てた昇降装置４に付いている。前記木材を入れた木材保持容器２を回転装置３を使って水平方向（９０度）回転させ、その木材の長さ方向が垂直になるようにして、前記昇降装置４を使って前記木材浸漬槽１に貯留させた木材保存処理用の薬液の中へ沈める。前記木材の処理条件によって予め設定した時間が経過した後に、前記昇降装置４を使って前記木材保持容器２と前記回転装置３とを垂直方向へ引き上げ、次に、斜め方向、例えば、４５度上方へ回転させて、そのまま余剰の薬液が垂れ落ちることを想定してあらかじめ設定した時間保持する。その時間が経過した後に、前記回転装置３を反転させて（９０度反転させて前記木材保持容器２を長さ方向に水平にする。その後、前記木材保持容器２から木質材料を取り出す。
【００２３】
また、図１に示されているように、本発明の木材処理装置３０においては、浸漬槽１の中に薬液の液面の高さを測る液面レベルセンサー５が取り付けられていて、前記液面の高さの情報が電気信号でコード１１を伝わって薬液の流入流出制御装置６に伝わるようになっている。前記薬液の流入流出制御装置６による浸漬槽１の薬液面は、図２に示される「浸漬槽の薬液面調整フロー」に基づいて調整される。前記薬液の流入流出制御装置６は、薬液タンク７とパイプ９で繋がり、かつ、前記浸漬槽１とパイプ１０で繋がる薬液ポンプ８に薬液の導入又は抜き取りの指示を出して、前記薬液ポンプ８を稼働させる。前記浸漬槽１において薬液の液面高さになったら、薬液ポンプ制御装置６から前記薬液ポンプ８に稼働停止の指示が前記薬液ポンプ８へ出される。木材が前記浸漬槽１内に出し入れされている作業中か作業中でないかに関わらず、これらの薬液液面の高さの調整は、常時行われる。前記木材への薬液の付着量は、処理する木材の浸漬時間に比例するので、前記木材への一定の薬液の付着量を短時間において効率よく得るためには、前記昇降装置４をタイマーによって制御して、一定時間で浸漬を終了させるように実施する。
【００２４】
本願の木材処理方法は、
（ａ）木材保存処理用の薬液を浸漬槽１に貯留させる工程、
（ｂ）前記浸漬槽１上に水平に設置された木材保持容器２に木材を入れて保持する工程、
（ｃ）前記木材を入れた木材保持容器２を回転装置３で垂直方向に回転させて該木材を立てた状態で保持する工程、
（ｄ）前記浸漬槽１の内側から該浸漬槽１の高さよりも上へ向かって立てるように設けられた、昇降装置４を用いて、前記立てた状態で保持した木材を降下させることにより、前記木材を前記薬液に一部分だけ浸漬させる工程、
（ｅ）前記木材を前記木材保持容器２に入れたまま斜め方向に反転させて前記薬液の液面から離間させた状態にすることにより該薬液を垂れ切る工程、及び、
（ｆ）前記薬液を垂れきった木材を前記木材保持容器２に入れたまま当初の水平に設置された状態に戻して該木材を取り出す工程、
を順次有している。
【００２５】
このように、前記（イ）〜（ヘ）を順次有していると、木材保存用の薬液に浸漬させる木材の深さを調整して該木材を木材保存用の薬液で短時間において効率よく部分的に処理する共に、前記木材への前記薬液の処理範囲の均一化を図り、しかも、前記処理した木材を浸漬槽の上で留め置いて、垂れ落ちる余剰薬液を周囲に散逸させることなく回収する木材処理方法を低コストで提供することができる。
【実施例】
【００２６】
（実施例１）
（ａ）社団法人日本木材保存協会認定の木材防腐・防蟻剤「サンプレーザーＰＷ９６」（認定番号Ａ−５２９５）《以下、「木材防腐・防蟻剤」と略記する。》を含有する木材保存処理用の薬液を縦：１５８０ｍｍ×横：２０２２ｍｍ×高さ：１４００ｍｍの浸漬槽に９００ｍｍの深さとなるように貯留させる工程、
（ｂ）前記浸漬槽上に水平に設けられた縦：９２０ｍｍ×横：１２５０ｍｍ×高さ：３０９０ｍｍの木材保持容器に縦：９ｍｍ×横：９１０ｍｍ×高さ：１８２０ｍｍのカラマツ構造用合板７０枚を重ねた状態で入れて保持する工程、
（ｃ）前記カラマツ構造用合板を入れた木材保持容器を回転装置で９０度回転させて該カラマツ構造用合板を立てた状態に保持する工程、
（ｄ）前記浸漬槽の内側から該浸漬槽の高さよりも上へ向かって立てるように設けられた、昇降装置を用いて、前記立てた状態で保持した木材を降下させることにより、前記木材保存処理用の薬液に前記カラマツ構造用合板における先端から８２０ｍｍにわたる部分を１０分間浸漬させる工程、
（ｅ）前記カラマツ構造用合板を入れた木材保持容器を回転装置で６０度回転させて、前記薬液の液面から離間させた状態で５分間保持することにより、前記薬液を垂れ切る工程、及び、
（ｆ）前記薬液を垂れきったカラマツ構造用合板を前記木材保持容器に入れたまま当初の水平に設置された状態に戻して該木材を取り出す工程、
を順次経て前記カラマツ構造用合板を前記木材保存処理用の薬液で部分的に処理した。
【００２７】
（実施例２）
前記（ｂ）工程において、前記浸漬槽上に水平に設けられた縦：９２０ｍｍ×横：１２５０ｍｍ×高さ：３０９０ｍｍの木材保持容器に縦：３８ｍｍ×横：８９ｍｍ×高さ：３０００ｍｍのスプルース製材２１６本を入れて保持した以外は、実施例１と同様にして、前記スプルース製材を前記木材保存処理用の薬液で部分的に処理した。
【００２８】
（実施例３）
前記（ｂ）工程において、前記浸漬槽上に水平に設けられた縦：９２０ｍｍ×横：１２５０ｍｍ×高さ：３０９０ｍｍの木材保持容器に縦：３８ｍｍ×横：８９ｍｍ×高さ：３０００ｍｍのスプルース製材２１６本を入れて保持し、そして、前記（ｄ）工程において、前記木材保存処理用の薬液に前記スプルース製材における先端から７５０ｍｍにわたる部分を１０分間浸漬させた以外は、実施例１と同様にして、前記スプルース製材を前記木材保存処理用の薬液で部分的に処理した。
【００２９】
（比較例１）
定規を備えた台に載せられた縦：９ｍｍ×横：９１０ｍｍ×高さ：１８２０ｍｍのカラマツ構造用合板の表面の端部から８２０ｍｍの部分のみに木材防腐・防蟻剤を含有する木材保存処理用の薬液を吹き付けて処理した。そして、同様にして、前記カラマツ構造用合板６９枚の表面の端部から８２０ｍｍの部分のみに前記木材防腐・防蟻剤を含有する木材保存処理用の薬液を次々吹き付けて、前記カラマツ構造用合板を前記木材保存処理用の薬液で部分的に処理した。
【００３０】
（比較例２）
定規を備えた台に並べて載せられた縦：３８ｍｍ×横：８９ｍｍ×高さ：３０００ｍｍのスプルース製材１０本の１材面の表面の端部から８２０ｍｍの部分のみに木材防腐・防蟻剤を含有する木材保存処理用の薬液を吹き付けて処理した。次に、前記スプルース製材１０本それぞれを転がし、それらの隣の面を上にして形成した残り３面にも、前記木材防腐・防蟻剤を含有する木材保存処理用の薬液を吹き付けて同様に処理した。そして、同じ要領で前記スプルース製材１０本ずつ（最後は６本）に前記木材防腐・防蟻剤を含有する木材保存処理用の薬液を吹き付けて、全部で２１６本のスプルース製材を前記木材保存処理用の薬液で部分的に処理した。
【００３１】
（比較例２）
定規を備えた台に並べて載せられた縦：３８ｍｍ×横：８９ｍｍ×高さ：３０００ｍｍのスプルース製材１０本の１材面の表面の端部から８２０ｍｍの部分のみに木材防腐・防蟻剤を含有する木材保存処理用の薬液を吹き付けて処理した。次に、前記スプルース製材１０本それぞれを転がし、それらの隣の面を上にして形成した残り３面にも、前記木材防腐・防蟻剤を含有する木材保存処理用の薬液を吹き付けて同様に処理した。そして、同じ要領で前記スプルース製材１０本ずつ（最後は６本）に前記木材防腐・防蟻剤を含有する木材保存処理用の薬液を吹き付けて、全部で２１６本のスプルース製材を前記木材保存処理用の薬液で部分的に処理した。
【００３２】
（比較例３）
定規を備えた台に並べて載せられた縦：３８ｍｍ×横：８９ｍｍ×高さ：３０００ｍｍのスプルース製材１０本の１材面の表面の端部から７５０ｍｍの部分のみに木材防腐・防蟻剤を含有する木材保存処理用の薬液を吹き付けて処理した。次に、前記スプルース製材１０本それぞれを転がし、それらの隣の面を上にして形成した残り３面にも、前記木材防腐・防蟻剤を含有する木材保存処理用の薬液を吹き付けて同様に処理した。そして、同じ要領で前記スプルース製材１０本ずつ（最後は６本）に前記木材防腐・防蟻剤を含有する木材保存処理用の薬液を吹き付けて、全部で２１６本のスプルース製材を前記木材保存処理用の薬液で部分的に処理した。
【００３３】
以上、前記実施例１〜３及び前記比較例１〜３においては、薬液処理した木材（カラマツ構造用合板、スプルース製材）を取り出せる状態になるまでの時間《即ち、前記実施例１〜３では、木材保持容器に木材を入れて保持するところから該木材に付着した薬液の液垂れを切り終えて該木材を該木材保持容器から取り出せるまでの時間（以下、「薬液処理時間」という。）であり、そして、前記比較例１〜３では、台に木材を並べるところから薬液を吹き付け木材を該台から取り出して束ねることのできる状態に積み上げるまでの時間（以下、「薬液処理時間」という。）》をそれぞれ測定した。そして、前記実施例１〜３及び前記比較例１〜３において薬液処理した木材（カラマツ構造用合板、スプルース製材）を木材保持容器及び台から取り出して、前記木材における先端から薬液で処理された部分（着色部分）の長さを測定し、その薬液で処理された部分の長さから、薬液処理範囲の目標値の基準に対して超過した長さ及び不足した長さの絶対値の最大値（以下、「薬液処理範囲の過不足」という。）を測定した。また、前記薬液で処理された部分の薬剤付着量（以下、「薬剤付着量」という。）と、薬液処理に使用した薬剤の使用量（以下、「薬剤使用量」という。）と、をそれぞれ測定した。測定結果は、次の表１に示される。
【００３４】
【表１】
0005467018.tif 000002
【００３５】
表１からみると、（１）薬液処理時間は、実施例１〜３では、いずれも、１８分であるが、比較例１，２，３では、それぞれ、９２分、１００分、９８分であり、そして、（２）薬液処理範囲の過不足は、いずれも、「超過２ｃｍ、不足なし」であるが、比較例１，２，３では、それぞれ、「超過５ｃｍ、不足なし」、「超過６ｃｍ、不足なし」、「超過１２ｃｍ、不足１ｃｍ」であるので、本発明の木材処理装置によれば、木材保存用の薬液に浸漬させる木材の深さを調整して該木材を木材保存用の薬液で短時間において効率よく部分的に処理する共に、前記木材への前記薬液の処理範囲の均一化を図れることがわかる。
【図面の簡単な説明】
【００３６】
【図１】本発明の一実施の形態を示す木材処理装置の概略説明図である。
【図２】本発明の一実施の形態を示す木材処理装置における薬液の流入流出制御装置による薬液の流入流出制御の概要を示すフローチャートである。
【符号の説明】
【００３７】
１  浸漬槽
２  木材保持容器
３  回転装置
４  昇降装置
５  液面レベルセンサー
６  薬液の流入流出制御装置
７  薬液タンク
８  薬液ポンプ
９  ，１０  パイプ
１１  電気コード
２０  薬液高さ自動調整装置
３０  木材処理装置
【図１】
0005467018.tif 000003
【図２】
0005467018.tif 000004